(57)【特許請求の範囲】
【請求項１】
複数のデータ送受信手段を備えた通信装置であって、
前記複数のデータ送受信手段が設置された筐体内の温度を測定する温度測定手段と、
ユーザによって順位付けされた各データ送受信手段の通信設定の順位を示す優先順位情報を記憶する優先順位記憶手段と、
前記温度測定手段の測定結果の値が所定の閾値を超えている場合に、制御可能なデータ送受信手段の通信設定であって、最も低い通信性能に設定されていない通信設定のうち、前記優先順位記憶手段に記憶されている前記優先順位情報によって示される順位が最も低い通信設定を通信性能が一段階低下する内容に変更する通信設定変更手段とを備え、
前記通信設定変更手段は、前記温度測定手段の測定結果の値が所定の閾値以下である場合に、制御可能なデータ送受信手段の通信設定であって、最も高い通信性能に設定されていない通信設定のうち、前記優先順位記憶手段に記憶されている前記優先順位情報によって示される順位が最も高い通信設定を通信性能が一段階向上する内容に変更する
ことを特徴とする通信装置。
【請求項２】
ユーザによって設定された閾値を記憶する閾値記憶手段を含み、
通信設定変更手段は、温度測定手段の測定結果の値と前記閾値記憶手段に記憶されている閾値との比較結果に応じて、データ送受信手段の通信設定を変更する
請求項１に記載の通信装置。
【請求項３】
複数のデータ送受信手段を備えた通信装置で実行される通信設定変更方法であって、
前記複数のデータ送受信手段が設置された筐体内の温度を測定し、
温度測定結果の値が所定の閾値を超えている場合に、制御可能なデータ送受信手段の通信設定であって、最も低い通信性能に設定されていない通信設定のうち、ユーザによって順位付けされたデータ送受信手段の通信設定の順位が最も低い通信設定を通信性能が一段階低下する内容に変更し、
温度測定結果の値が所定の閾値以下である場合に、制御可能なデータ送受信手段の通信設定であって、最も高い通信性能に設定されていない通信設定のうち、ユーザによって順位付けされたデータ送受信手段の通信設定の順位が最も高い通信設定を通信性能が一段階向上する内容に変更する
ことを特徴とする通信設定変更方法。
【請求項４】
複数のデータ送受信手段を備えた通信装置におけるコンピュータに、
温度測定手段に前記複数のデータ送受信手段が設置された筐体内の温度を測定させる温度測定処理と、
前記温度測定手段の測定結果の値が所定の閾値を超えている場合に、制御可能なデータ送受信手段の通信設定であって、最も低い通信性能に設定されていない通信設定のうち、ユーザによって順位付けされたデータ送受信手段の通信設定の順位が最も低い通信設定を通信性能が一段階低下する内容に変更する通信設定変更処理とを実行させ、
前記通信設定変更処理で、
前記温度測定手段の測定結果の値が所定の閾値以下である場合に、制御可能なデータ送受信手段の通信設定であって、最も高い通信性能に設定されていない通信設定のうち、ユーザによって順位付けされたデータ送受信手段の通信設定の順位が最も高い通信設定を通信性能が一段階向上する内容に変更させる
ための通信設定変更プログラム。
【発明の詳細な説明】
【技術分野】
【０００１】
本発明は、筐体内の温度に応じて通信設定を変更する通信装置、通信設定変更方法および通信設定変更プログラムに関する。
【背景技術】
【０００２】
無線ＬＡＮ（Ｌｏｃａｌ  Ａｒｅａ  Ｎｅｔｗｏｒｋ）システムに、ＩＥＥＥ８０２．１１の規定にもとづいて標準化された各種変調方式や空間多重方式が採用され、無線ＬＡＮ通信の速度向上が図られている。また、無線ＬＡＮシステムの基地局であるアクセスポイントは、ＵＳＢ（Ｕｎｉｖｅｒｓａｌ  Ｓｅｒｉａｌ  Ｂｕｓ）接続機能が搭載されたり、イーサネット（登録商標）接続機能が搭載されたりして、多機能化されている。
【０００３】
そして、アクセスポイントは、筐体内で部品として用いられるＩＣ（Ｉｎｔｅｇｒａｔｅｄ  Ｃｉｒｃｕｉｔ）が高集積化され、筐体が小型化されている。
【０００４】
筐体が小型化されたアクセスポイントは、小型化されていないアクセスポイントに比べて、筐体内に設置された部品によって発せられる熱により筐体内の温度がより上昇する。
【０００５】
特許文献１、特許文献２および特許文献３には、無線通信装置において、検出した部品の温度に応じてデータ送信速度を変更し、筐体内の温度上昇を防ぐ方法が記載されている。
【先行技術文献】
【特許文献】
【０００６】
【特許文献１】特開２０００−８３００９号公報（段落００１７〜００３６、図１）
【特許文献２】特開２００３−３４７９９３号公報（段落００１８〜００３８、図１）
【特許文献３】特開２００７−９６７８２号公報（段落０１１３〜０１１６、図２２）
【発明の概要】
【発明が解決しようとする課題】
【０００７】
多機能化されたアクセスポイントが小型化された場合に、筐体内に設置された部品によって発せられた熱によりアクセスポイントの筐体内の温度が上昇し、当該アクセスポイントにおいて想定される性能が発揮されないことがある。
【０００８】
特許文献１、特許文献２および特許文献３に記載された方法を、多機能化されて複数の送信増幅器を有する装置に適用した場合に、ユーザによる各機能の使用意志に関わらず通信設定が変更されてしまう。
【０００９】
そこで、本発明は、複数のデータ送受信手段を備えた通信装置において、ユーザによる設定にもとづいて、筐体内の温度に応じて通信設定を変更する通信装置、通信設定変更方法および通信設定変更プログラムを提供することを目的とする。
【課題を解決するための手段】
【００１０】
本発明による通信装置は、複数のデータ送受信手段を備えた通信装置であって、複数のデータ送受信手段が設置された筐体内の温度を測定する温度測定手段と、ユーザによって順位付けされた各データ送受信手段の通信設定の順位を示す優先順位情報を記憶する優先順位記憶手段と、温度測定手段の測定結果の値が所定の閾値を超えている場合に、制御可能なデータ送受信手段の通信設定であって、最も低い通信性能に設定されていない通信設定のうち、優先順位記憶手段に記憶されている優先順位情報によって示される順位が最も低い通信設定を通信性能が一段階低下する内容に変更する通信設定変更手段とを備え、通信設定変更手段が、温度測定手段の測定結果の値が所定の閾値以下である場合に、制御可能なデータ送受信手段の通信設定であって、最も高い通信性能に設定されていない通信設定のうち、優先順位記憶手段に記憶されている優先順位情報によって示される順位が最も高い通信設定を通信性能が一段階向上する内容に変更するたことを特徴とする。
【００１１】
本発明による通信設定変更方法は、複数のデータ送受信手段を備えた通信装置で実行される通信設定変更方法であって、複数のデータ送受信手段が設置された筐体内の温度を測定し、温度測定結果の値が所定の閾値を超えている場合に、制御可能なデータ送受信手段の通信設定であって、最も低い通信性能に設定されていない通信設定のうち、ユーザによって順位付けされたデータ送受信手段の通信設定の順位が最も低い通信設定を通信性能が一段階低下する内容に変更し、温度測定結果の値が所定の閾値以下である場合に、制御可能なデータ送受信手段の通信設定であって、最も高い通信性能に設定されていない通信設定のうち、ユーザによって順位付けされたデータ送受信手段の通信設定の順位が最も高い通信設定を通信性能が一段階向上する内容に変更することを特徴とする。
【００１２】
本発明による通信設定変更プログラムは、複数のデータ送受信手段を備えた通信装置におけるコンピュータに、温度測定手段に複数のデータ送受信手段が設置された筐体内の温度を測定させる温度測定処理と、温度測定手段の測定結果の値が所定の閾値を超えている場合に、制御可能なデータ送受信手段の通信設定であって、最も低い通信性能に設定されていない通信設定のうち、ユーザによって順位付けされたデータ送受信手段の通信設定の順位が最も低い通信設定を通信性能が一段階低下する内容に変更する通信設定変更処理とを実行させ、通信設定変更処理で、温度測定手段の測定結果の値が所定の閾値以下である場合に、制御可能なデータ送受信手段の通信設定であって、最も高い通信性能に設定されていない通信設定のうち、ユーザによって順位付けされたデータ送受信手段の通信設定の順位が最も高い通信設定を通信性能が一段階向上する内容に変更させることを特徴とする。
【発明の効果】
【００１３】
本発明によれば、ユーザによる設定にもとづいて、複数のデータ送受信手段を備えた通信装置の筐体の温度上昇を防ぐことができる。
【図面の簡単な説明】
【００１４】
【図１】本発明による通信装置の実施形態のアクセスポイントの接続例を示すブロック図である。
【図２】アクセスポイントの構成例を示すブロック図である。
【図３】アクセスポイントの動作を示すフローチャートである。
【図４】イーサネット制御部によって行われる通信の通信規格を変更する処理を示すフローチャートである。
【図５】無線ＬＡＮ通信に使用される電波の帯域幅を変更する処理を示すフローチャートである。
【図６】無線ＬＡＮ通信に使用する電波の周波数帯域を変更する処理を示すフローチャートである。
【図７】無線ＬＡＮ通信に使用する通信方式を変更する処理を示すフローチャートである。
【図８】無線ＬＡＮ通信の伝送速度を変更する処理を示すフローチャートである。
【図９】各通信方式、帯域幅、およびガードインターバルに応じて規定されている伝送速度を示す説明図である。
【図１０】無線ＬＡＮ通信のストリーム数を変更する処理を示すフローチャートである。
【図１１】ＵＳＢ通信の伝送速度を変更する処理を示すフローチャートである。
【図１２】本発明の概要を示すブロック図である。
【発明を実施するための形態】
【００１５】
本発明による通信装置の実施形態について、図面を参照して説明する。図１は、本発明による通信装置の実施形態のアクセスポイント３の接続例を示すブロック図である。以下、アクセスポイント３は、ＵＳＢ接続機能およびイーサネット接続機能を有する無線ＬＡＮのアクセスポイント３であるとして説明する。なお、ＵＳＢ接続機能とは、ＵＳＢケーブルを介して接続された機器とＵＳＢの規格にもとづいてデータを送受信する機能をいう。以下、ＵＳＢケーブルを介して機器に接続されていることをＵＳＢ接続されているという。また、イーサネット接続機能とは、ＬＡＮケーブルを介して接続された機器とイーサネットの規格にもとづいてデータを送受信する機能をいう。以下、ＬＡＮケーブルを介してイーサネットの規格にもとづいてデータを送受信する機器に接続されていることをイーサネット接続されているという。
【００１６】
図１に示すように、アクセスポイント３には、クライアントコンピュータ５に装着された無線子機４が無線ＬＡＮ接続されている。また、図１に示すように、アクセスポイント３は、通信ネットワーク１に接続されたルータ２に接続されている。なお、アクセスポイント３がルータ機能を有し、通信ネットワーク１に接続されていてもよい。また、図１に示すように、アクセスポイント３は、ＵＳＢポート６を有するＵＳＢデバイス７にＵＳＢ接続されている。図１に示すように、アクセスポイント３は、イーサネットポート８を有するクライアントコンピュータ９にイーサネット接続されている。
【００１７】
図２は、アクセスポイント３の構成例を示すブロック図である。図２に示すように、アクセスポイント３は、無線部１０２、帯域幅変更部１０３、通信レート変更部１０４、メモリ１０５、帯域変更部１０６、通信方式変更部１０７、アンテナ１０８、ストリーム数変更部１０９、イーサネット制御部１１０、ＵＳＢ制御部１１１、温度測定部１１２、および変更設定選択部１１３を含む。
【００１８】
無線部１０２は、アンテナ１０８を介して、クライアントコンピュータ５に装着された無線子機４と無線ＬＡＮ通信を行い、クライアントコンピュータ５とデータを送受信する。温度測定部１１２は、アクセスポイント３の筐体内の温度を測定する。帯域幅変更部１０３、通信レート変更部１０４、帯域変更部１０６、通信方式変更部１０７、およびストリーム数変更部１０９は、温度測定部１１２の測定結果に応じて、無線部１０２において無線ＬＡＮ接続された無線子機４との無線ＬＡＮ通信の通信設定の設定内容をそれぞれ変更する。
【００１９】
具体的には、帯域幅変更部１０３は、無線部１０２において無線ＬＡＮ接続された無線子機４との無線ＬＡＮ通信に使用される電波の周波数帯域幅を温度測定部１１２の測定結果に応じて変更する。通信レート変更部１０４は、無線部１０２において無線ＬＡＮ接続された無線子機４との無線ＬＡＮ通信の伝送速度を温度測定部１１２の測定結果に応じて変更する。帯域変更部１０６は、無線部１０２において無線ＬＡＮ接続された無線子機４との無線ＬＡＮ通信に使用される電波の周波数帯域を温度測定部１１２の測定結果に応じて変更する。通信方式変更部１０７は、無線部１０２において無線ＬＡＮ接続された無線子機４との無線ＬＡＮ通信の通信方式を温度測定部１１２の測定結果に応じて変更する。ストリーム数変更部１０９は、無線部１０２において無線ＬＡＮ接続された無線子機４との無線ＬＡＮ通信のストリーム数を温度測定部１１２の測定結果に応じて変更する。
【００２０】
なお、帯域幅変更部１０３、通信レート変更部１０４、帯域変更部１０６、通信方式変更部１０７、およびストリーム数変更部１０９は、温度測定部１１２の測定結果の値が所定の閾値を超えている場合に、無線部１０２において無線ＬＡＮ接続された無線子機４との無線ＬＡＮ通信の通信設定の設定内容を、当該無線部２の性能を低下させて、発せられる熱が少なくなる内容に変更する。また、帯域幅変更部１０３、通信レート変更部１０４、帯域変更部１０６、通信方式変更部１０７、およびストリーム数変更部１０９は、温度測定部１１２の測定結果の値が所定の閾値以下である場合に、無線部１０２によって行われる無線子機４を介して無線ＬＡＮ接続されたクライアントコンピュータ５との無線ＬＡＮ通信の通信設定の設定内容をより高速で通信可能な内容に変更する。
【００２１】
イーサネット制御部１１０は、イーサネット接続されているクライアントコンピュータ９とデータを送受信し、クライアントコンピュータ９との通信の通信設定の設定内容を温度測定部１１２の測定結果に応じて変更する。なお、イーサネット制御部１１０は、温度測定部１１２の測定結果の値が所定の閾値を超えている場合に、イーサネット制御部１１０の性能を低下させて、発せられる熱が少なくなる内容に通信設定の設定内容を変更する。また、イーサネット制御部１１０は、温度測定部１１２の測定結果の値が所定の閾値以下である場合に、より高速で通信可能な内容に変更する。具体的には、イーサネット制御部１１０は、イーサネットポート８を介してイーサネット接続されたクライアントコンピュータ９との通信の通信規格を温度測定部１１２の測定結果に応じて変更する。
【００２２】
なお、本実施形態において、通信性能が低いということは、データ転送速度が遅い（帯域幅が狭い）ことや、同時使用可能なストリーム数（チャネル数）が少ないことである。すなわち、アクセスポイント３の処理負荷が低いことに相当する。
【００２３】
ＵＳＢ制御部１１１は、ＵＳＢ接続されているＵＳＢデバイス７とデータを送受信し、ＵＳＢデバイス７との通信の通信設定の設定内容を温度測定部１１２の測定結果に応じて変更する。なお、ＵＳＢ制御部１１１は、温度測定部１１２の測定結果の値が所定の閾値を超えている場合に、ＵＳＢ制御部１１１の性能を低下させて、発せられる熱が少なくなる内容に通信設定の設定内容を変更する。また、ＵＳＢ制御部１１１は、温度測定部１１２の測定結果の値が所定の閾値以下である場合に、より高速で通信可能な内容に通信設定の設定内容を変更する。具体的には、ＵＳＢ制御部１１１は、ＵＳＢポート６を介してＵＳＢ接続されたＵＳＢデバイス７との通信の伝送速度を温度測定部１１２の測定結果に応じて変更する。
【００２４】
メモリ１０５には、ユーザによって順位付けされたアクセスポイント３の通信設定の優先順位を示す優先順位情報が記憶されている。変更設定選択部１１３は、メモリ１０５に記憶されている優先順位情報によって示される優先順位にもとづいて、帯域幅変更部１０３、通信レート変更部１０４、帯域変更部１０６、通信方式変更部１０７、ストリーム数変更部１０９、イーサネット制御部１１０、またはＵＳＢ制御部１１１に、設定されている通信設定の設定内容の変更を指示する。
【００２５】
次に、図１に示すアクセスポイント３の動作について、図面を参照して説明する。図３は、図１に示すアクセスポイント３の動作を示すフローチャートである。
【００２６】
アクセスポイント３の変更設定選択部１１３は、無線部１０２に、優先順位の入力を促す画面を表示するための情報を無線ＬＡＮ通信で無線子機４に送信する指示を入力する。無線部１０２は、優先順位の入力を促す画面を表示するための情報を無線ＬＡＮ通信で無線子機４に送信する。無線部１０２は、ユーザの操作に応じて無線子機４を介してクライアントコンピュータ５によって送信された優先順位を示す優先順位情報を受信して、変更設定選択部１１３に入力する。
【００２７】
なお、アクセスポイント３の変更設定選択部１１３が、イーサネット制御部１１０に、優先順位の入力を促す画面を表示するための情報をクライアントコンピュータ９に送信する指示を入力し、イーサネット制御部１１０が、優先順位の入力を促す画面を表示するための情報をクライアントコンピュータ９に送信し、ユーザの操作に応じてクライアントコンピュータ９によって送信された優先順位を示す優先順位情報を受信して、変更設定選択部１１３に入力するように構成されていてもよい。
【００２８】
変更設定選択部１１３は、入力された優先順位情報をメモリ１０５に記憶させる。なお、変更設定選択部１１３は、メモリ１０５に既に優先順位情報が記憶されている場合に、入力された優先順位情報よって示される優先順位を上書きして優先順位情報を更新する。
【００２９】
変更設定選択部１１３は、メモリ１０５に記憶されている優先順位情報によって示される優先順位が低い順に、通信設定を変更する処理の実行を当該処理に対応する各部に指示する（ステップＳ１０）。そして、変更設定選択部１１３の指示に応じて、通信設定を変更する処理が実行される（ステップＳ２０）。本実施形態では、メモリ１０５に、イーサネット制御部１１０によって行われる通信の通信規格、無線ＬＡＮ通信に使用される電波の周波数帯域幅、無線ＬＡＮ通信に使用される電波の周波数帯域、無線ＬＡＮ通信の通信方式、無線ＬＡＮ通信の伝送速度、無線ＬＡＮ通信のストリーム数、ＵＳＢ通信の伝送速度の順に優先順位が低いことを示す優先順位情報が記憶されているとする。
【００３０】
変更設定選択部１１３は、メモリ１０５に記憶されている優先順位情報にもとづいて変更する通信設定を選択する。具体的には、変更設定選択部１１３は、まず、メモリ１０５に記憶されている優先順位情報によって最も低い優先順位として示されているイーサネット制御部１１０によって行われる通信の通信規格を変更するための処理をイーサネット制御部１１０に指示する。イーサネット制御部１１０は、変更設定選択部１１３によってなされた指示に応じて、通信規格を変更する処理を実行する。図４は、イーサネット制御部１１０によって行われる通信の通信規格を変更する処理を示すフローチャートである。イーサネット制御部１１０は、クライアントコンピュータ５との通信に用いているイーサネットの通信規格を示す情報をメモリ１０５に格納する（ステップＳ１０１）。変更設定選択部１１３は、温度測定部１１２に温度の測定を指示する（ステップＳ１０２）。イーサネット制御部１１０は、温度測定部１１２が測定した温度の値が所定の閾値以下である場合に（ステップＳ１０３のＮ）、イーサネットの通信規格をより高い伝送速度の通信規格に変更する（ステップＳ１０４）。そして、イーサネット制御部１０１は、変更後の通信規格で通信を開始し、ステップＳ１０の処理に移行する。
【００３１】
具体的には、イーサネット制御部１１０は、ステップＳ１０４の処理で、ステップＳ１０１の処理でメモリ１０５に格納された情報によって１０ＢＡＳＥ−Ｔの通信規格であることが示されている場合に１００ＢＡＳＥ−ＴＸの通信規格に変更し、１００ＢＡＳＥ−ＴＸの通信規格であることが示されている場合に１０００ＢＡＳＥ−Ｔの通信規格に変更し、１０００ＢＡＳＥ−Ｔの通信規格であることが示されている場合に１０ＧＢＡＳＥ−Ｔの通信規格に変更する。なお、イーサネット制御部１０１は、既に最も高い伝送速度の通信規格（具体的には、１０ＧＢＡＳＥ−Ｔの通信規格）が用いられていることを示す情報がメモリ１０５に格納されている場合に、ステップＳ１０４の処理を行わずに、ステップＳ１０の処理に移行する。
【００３２】
イーサネット制御部１１０は、温度測定部１１２が測定した温度の値が所定の閾値を超えている場合に（ステップＳ１０３のＹ）、イーサネットの通信規格をより低い伝送速度の通信規格に変更する（ステップＳ１０５）。そして、イーサネット制御部１０１は、変更後の通信規格で通信を開始し、ステップＳ１０の処理に移行する。
【００３３】
具体的には、イーサネット制御部１１０は、ステップＳ１０５の処理で、ステップＳ１０１の処理でメモリ１０５に格納された情報によって１０ＧＢＡＳＥ−Ｔの通信規格であることが示されている場合に１０００ＢＡＳＥ−Ｔの通信規格に変更し、１０００ＢＡＳＥ−Ｔの通信規格であることが示されている場合に１００ＢＡＳＥ−ＴＸの通信規格に変更し、１００ＢＡＳＥ−ＴＸの通信規格であることが示されている場合に１０ＢＡＳＥ−Ｔの通信規格に変更する。なお、イーサネット制御部１０１は、既に最も低い伝送速度の通信規格（具体的には、１０ＢＡＳＥ−Ｔの通信規格）が用いられていることを示す情報がメモリ１０５に格納されている場合に、ステップＳ１０５の処理を行わずに、ステップＳ１０の処理に移行する。
【００３４】
変更設定選択部１１３は、メモリ１０５に格納されている情報によって既に最も低い伝送速度の通信規格（具体的には、１０ＢＡＳＥ−Ｔの通信規格）が用いられていることが示されている場合に、ステップＳ１０の処理で、メモリ１０５に記憶されている優先順位情報にもとづいて、１番優先順位が低いイーサネット制御部１１０によって行われる通信の通信規格に次いで優先順位が低い（２番目に優先順位が低い）、無線ＬＡＮ通信に使用される電波の帯域幅を変更するための処理を帯域幅変更部１０３に指示する。帯域幅変更部１０３は、変更設定選択部１１３によってなされた指示に応じて、ステップＳ２０の処理として無線ＬＡＮ通信に使用される電波の帯域幅を変更する処理を実行する。図５は、無線ＬＡＮ通信に使用される電波の帯域幅を変更する処理を示すフローチャートである。
【００３５】
帯域幅変更部１０３は、無線ＬＡＮ通信に使用している電波の帯域幅を示す情報をメモリ１０５に格納する（ステップＳ２０１）。変更設定選択部１１３は、温度測定部１１２に温度の測定を指示する（ステップＳ２０２）。帯域幅変更部１０３は、温度測定部１１２が測定した温度の値が所定の閾値以下である場合に（ステップＳ２０３のＮ）、ステップＳ２０１の処理でメモリ１０５に格納した情報によって示される帯域幅を確認する。そして、帯域幅変更部１０３は、ステップＳ２０１の処理でメモリ１０５に格納した情報によって示される帯域幅がＨＴ（ｈｉｇｈ  ｔｈｒｏｕｇｈｐｕｔ）２０（２０ＭＨｚ）である場合に（ステップＳ２０４のＹ）、帯域幅をＨＴ４０（４０ＭＨｚ）に変更し（ステップＳ２０５）、ステップＳ１０の処理に移行する。そして、無線部２は、変更後の帯域幅で通信を開始する。
【００３６】
帯域幅変更部１０３は、ステップＳ２０４の処理で、ステップＳ２０１の処理でメモリ１０５に格納された情報によって帯域幅がＨＴ４０であることが示されている場合（ステップＳ２０４のＮ）、つまり、既に最大の帯域幅に設定されている場合に、ステップＳ２０５の処理を行わずに、ステップＳ１０の処理に移行する。
【００３７】
変更設定選択部１１３は、メモリ１０５に格納されている情報によって既に最大の帯域幅（具体的には、ＨＴ４０（４０ＭＨｚ））に設定されていることが示されている場合に、ステップＳ１０の処理で、メモリ１０５に記憶されている優先順位情報にもとづいて、２番目に優先順位が低い無線ＬＡＮ通信に使用する電波の帯域幅よりも１つ優先順位が低い（１番優先順位が低い）、図４に示すイーサネット制御部１１０によって行われる通信の通信規格を変更するための処理の実行をイーサネット制御部１１０に指示する。イーサネット制御部１１０は、変更設定選択部１１３の指示に応じて、ステップＳ２０の処理として図４のフローチャートに示す処理を実行する。
【００３８】
帯域幅変更部１０３は、温度測定部１１２が測定した温度の値が所定の閾値を超えている場合に（ステップＳ２０３のＹ）、ステップＳ２０１の処理でメモリ１０５に格納した情報によって示される帯域幅を確認する。そして、帯域幅変更部１０３は、ステップＳ２０１の処理でメモリ１０５に格納した情報によって示される帯域幅がＨＴ４０である場合に（ステップＳ２０６のＹ）、帯域幅をＨＴ２０に変更し（ステップＳ２０７）、ステップＳ１０の処理に移行する。そして、無線部２は、変更後の帯域幅で通信を開始する。
【００３９】
帯域幅変更部１０３は、ステップＳ２０６の処理で、ステップＳ２０１の処理でメモリ１０５に格納された情報によって帯域幅がＨＴ２０であることが示されている場合（ステップＳ２０６のＮ）、つまり、既に最小の帯域幅に設定されている場合に、ステップＳ２０７の処理を行わずに、ステップＳ１０の処理に移行する。
【００４０】
変更設定選択部１１３は、メモリ１０５に格納されている情報によって既に最小の帯域幅（具体的には、ＨＴ２０（２０ＭＨｚ））に設定されていることが示されている場合に、ステップＳ１０の処理で、メモリ１０５に記憶されている優先順位情報にもとづいて、２番目に優先順位が低い無線ＬＡＮ通信に使用する電波の帯域幅に次いで優先順位が低い（３番目に優先順位が低い）、無線ＬＡＮ通信に使用する電波の周波数帯域を変更するための処理の実行を帯域変更部１０６に指示する。帯域変更部１０６は、変更設定選択部１１３によってなされた指示に応じて、ステップＳ２０の処理として無線ＬＡＮ通信に使用する電波の周波数帯域を変更する処理を実行する。図６は、無線ＬＡＮ通信に使用する電波の周波数帯域を変更する処理を示すフローチャートである。
【００４１】
帯域変更部１０６は、無線ＬＡＮ通信に使用している電波の周波数帯域を示す情報をメモリ１０５に格納する（ステップＳ３０１）。変更設定選択部１１３は、温度測定部１１２に温度の測定を指示する（ステップＳ３０２）。帯域変更部１０６は、温度測定部１１２が測定した温度の値が所定の閾値以下である場合に（ステップＳ３０３のＮ）、ステップＳ３０１の処理でメモリ１０５に格納した情報によって示される周波数帯域を確認する。そして、帯域変更部１０６は、ステップＳ３０１の処理でメモリ１０５に格納した情報によって示される周波数帯域が同時使用できるチャネル数が相対的に少ない２．４ＧＨｚ帯である場合に（ステップＳ３０４のＹ）、周波数帯域を同時使用できるチャネル数が相対的に多い５ＧＨｚ帯に変更し（ステップＳ３０５）、ステップＳ１０の処理に移行する。そして、無線部２は、変更後の周波数帯域で通信を開始する。
【００４２】
帯域変更部１０６は、ステップＳ３０４の処理で、ステップＳ３０１の処理でメモリ１０５に格納された情報によって周波数帯域が５ＧＨｚ帯であることが示されている場合に（ステップＳ３０４のＮ）、つまり、既に高い周波数帯域に設定されている場合に、ステップＳ３０５の処理を行わずに、ステップＳ１０の処理に移行する。
【００４３】
変更設定選択部１１３は、メモリ１０５に格納されている情報によって既に高い周波数帯域（具体的には、５ＧＨｚ帯）に設定されていることが示されている場合に、ステップＳ１０の処理で、メモリ１０５に記憶されている優先順位情報にもとづいて、３番目に優先順位が低い無線ＬＡＮ通信に使用する電波の周波数帯域よりも１つ優先順位が低い（２番目に優先順位が低い）、図５に示す無線ＬＡＮ通信に使用する電波の帯域幅を変更するための処理の実行を帯域幅変更部１０３に指示する。帯域幅変更部１０３は、変更設定選択部１１３の指示に応じて、ステップＳ２０の処理として図５のフローチャートに示す処理を実行する。
【００４４】
帯域変更部１０６は、温度測定部１１２が測定した温度の値が所定の閾値を超えている場合に（ステップＳ３０３のＹ）、ステップＳ３０１の処理でメモリ１０５に格納した情報によって示される周波数帯域を確認する。そして、帯域変更部１０６は、ステップＳ３０１の処理でメモリ１０５に格納した情報によって示される周波数帯域が５ＧＨｚ帯である場合に（ステップＳ３０６のＹ）、周波数帯域を２．４ＧＨｚ帯に変更し（ステップＳ３０７）、ステップＳ１０の処理に移行する。そして、無線部２は、変更後の周波数帯域で通信を開始する。
【００４５】
帯域変更部１０６は、ステップＳ３０６の処理で、ステップＳ３０１の処理でメモリ１０５に格納された情報によって周波数帯域が２．４ＧＨｚ帯であることが示されている場合（ステップＳ３０６のＮ）、つまり、既に低い周波数帯域に設定されている場合に、ステップＳ３０７の処理を行わずに、ステップＳ１０の処理に移行する。
【００４６】
変更設定選択部１１３は、メモリ１０５に格納されている情報によって既に低い周波数帯域（具体的には、２．４ＧＨｚ）に設定されていることが示されている場合に、ステップＳ１０の処理で、メモリ１０５に記憶されている優先順位情報にもとづいて、３番目に優先順位が低い無線ＬＡＮ通信に使用する電波の周波数帯域に次いで優先順位が低い（４番目に優先順位が低い）、無線ＬＡＮの通信方式を変更するための処理を通信方式変更部１０７に指示する。通信方式変更部１０７は、変更設定選択部１１３によってなされた指示に応じて、ステップＳ２０の処理として無線ＬＡＮ通信に使用する通信方式を変更する処理を実行する。図７は、無線ＬＡＮ通信に使用する通信方式を変更する処理を示すフローチャートである。
【００４７】
通信方式変更部１０７は、無線ＬＡＮ通信に使用している通信方式を示す情報をメモリ１０５に格納する（ステップＳ４０１）。変更設定選択部１１３は、温度測定部１１２に温度の測定を指示する（ステップＳ４０２）。通信方式変更部１０７は、温度測定部１１２が測定した温度の値が所定の閾値以下である場合に（ステップＳ４０３のＮ）、無線ＬＡＮ通信に使用する通信方式をより高い伝送速度の通信方式に変更し（ステップＳ４０４）、ステップＳ１０の処理に移行する。そして、無線部２は、変更後の通信方式で通信を開始する。
【００４８】
具体的には、通信方式変更部１０７は、ステップＳ４０４の処理で、ステップＳ４０１の処理でメモリ１０５に格納された情報によって８０２．１１ｂの規格にもとづく通信方式（最高伝送速度：１１Ｍｂｐｓ）であることが示されている場合に８０２．１１ｇの規格にもとづく通信方式（最高伝送速度：５４Ｍｂｐｓ）に変更し、８０２．１１ｇの規格にもとづく通信方式（５４Ｍｂｐｓ）であることが示されている場合に８０２．１１ｎの規格にもとづく通信方式（最高伝送速度：３００Ｍｂｐｓ）に変更する。なお、通信方式変更部１０７は、８０２．１１ｇの規格にもとづく通信方式への変更に代えて、８０２．１１ａの通信方式に変更してもよい。
【００４９】
通信方式変更部１０７は、ステップＳ４０４の処理で、ステップＳ４０１の処理でメモリ１０５に格納された情報によって８０２．１１ｎの規格にもとづく通信方式（最高伝送速度：３００Ｍｂｐｓ）であることが示されている場合、つまり、既に最高速の伝送速度の通信方式に設定されている場合に、ステップＳ４０４の処理を行わずに、ステップＳ１０の処理に移行する。
【００５０】
変更設定選択部１１３は、メモリ１０５に格納されている情報によって既に最高速の伝送速度の通信方式に設定されていることが示されている場合に、ステップＳ１０の処理で、メモリ１０５に記憶されている優先順位情報にもとづいて、４番目に優先順位が低い無線ＬＡＮ通信に使用する通信方式よりも１つ優先順位が低い（３番目に優先順位が低い）、図６に示す無線ＬＡＮ通信に使用する周波数帯域を変更するための処理の実行を帯域変更部１０６に指示する。帯域変更部１０６は、変更設定選択部１１３の指示に応じて、ステップＳ２０の処理として図６のフローチャートに示す処理を実行する。
【００５１】
通信方式変更部１０７は、温度測定部１１２が測定した温度の値が所定の閾値を超えている場合に（ステップＳ４０３のＹ）、無線ＬＡＮ通信に使用する通信方式をより低い伝送速度の通信方式に変更し（ステップＳ４０５）、ステップＳ１０の処理に移行する。そして、無線部２は、変更後の通信方式で通信を開始する。
【００５２】
具体的には、通信方式変更部１０７は、ステップＳ４０５の処理で、ステップＳ４０１の処理でメモリ１０５に格納された情報によって８０２．１１ｎの規格にもとづく通信方式（最高伝送速度：３００Ｍｂｐｓ）であることが示されている場合に８０２．１１ｇの規格にもとづく通信方式（最高伝送速度：５４Ｍｂｐｓ）に変更し、８０２．１１ｇの規格にもとづく通信方式（最高伝送速度：５４Ｍｂｐｓ）であることが示されている場合に８０２．１１ｂの規格にもとづく通信方式（最高伝送速度：１１Ｍｂｐｓ）に変更する。なお、通信方式変更部１０７は、８０２．１１ｇの規格にもとづく通信方式への変更に代えて、８０２．１１ａの通信方式に変更してもよい。
【００５３】
通信方式変更部１０７は、ステップＳ４０５の処理で、ステップＳ４０１の処理でメモリ１０５に格納された情報によって８０２．１１ｂの規格にもとづく通信方式（最高伝送速度：１１Ｍｂｐｓ）であることが示されている場合、つまり、既に最低速の伝送速度の通信方式に設定されている場合に、ステップＳ４０５の処理を行わずに、ステップＳ１０の処理に移行する。
【００５４】
変更設定選択部１１３は、メモリ１０５に格納されている情報によって既に最低速の伝送速度の通信方式に設定されていることが示されている場合に、ステップＳ１０の処理で、メモリ１０５に記憶されている優先順位情報にもとづいて、４番目に優先順位が低い無線ＬＡＮ通信に使用する通信方式に次いで優先順位が低い（５番目に優先順位が低い）、無線ＬＡＮの伝送速度を変更するための処理の実行を通信レート変更部１０４に指示する。通信レート変更部１０４は、変更設定選択部１１３によってなされた指示に応じて、ステップＳ２０の処理として無線ＬＡＮ通信の伝送速度を変更する処理を実行する。図８は、無線ＬＡＮ通信の伝送速度を変更する処理を示すフローチャートである。
【００５５】
通信レート変更部１０４は、無線ＬＡＮ通信の伝送速度を示す情報をメモリ１０５に格納する（ステップＳ５０１）。変更設定選択部１１３は、温度測定部１１２に温度の測定を指示する（ステップＳ５０２）。通信レート変更部１０４は、温度測定部１１２が測定した温度の値が所定の閾値以下である場合に（ステップＳ５０３のＮ）、ステップＳ１０の処理に移行する。
【００５６】
通信レート変更部１０４は、温度測定部１１２が測定した温度の値が所定の閾値を超えている場合に（ステップＳ５０３のＹ）、所定期間内にパケットエラーが生じたか否かを確認する（ステップＳ５０４）。通信レート変更部１０４は、ステップＳ５０４の処理で所定の期間内にパケットエラーが生じなかったことを確認した場合に（ステップＳ５０４のＮ）、既定の通信方式、帯域幅、およびガードインターバルに応じて規定されている伝送速度の範囲内で、伝送速度を高速化し（ステップＳ５０５）、ステップＳ１０の処理に移行する。なお、通信レート変更部１０４は、伝送速度を高速化する場合に、ガードインターバルを８００ｎｓから４００ｎｓに変更してもよい。そして、無線部２は、変更後の伝送速度で通信を開始する。
【００５７】
図９は、各通信方式、帯域幅、およびガードインターバルに応じて規定されている伝送速度を示す説明図である。メモリ１０５には、予め図９に示す通信方式、帯域幅、およびガードインターバルに応じて規定されている伝送速度を示す情報が記憶されている。通信レート変更部１０４は、ステップＳ５０５の処理で、メモリ１０５に予め記憶されている通信方式、帯域幅、およびガードインターバルに応じて規定されている伝送速度を示す情報にもとづいて、ステップＳ５０１の処理で格納された情報によって示される伝送速度よりも高い伝送速度に設定する。
【００５８】
通信レート変更部１０４は、ステップＳ５０５の処理で、ステップＳ５０１の処理でメモリ１０５に格納された情報によって示される伝送速度がメモリ１０５に予め記憶されている通信方式、帯域幅、およびガードインターバルに応じて規定されている伝送速度のうち、最高速である場合に、ステップＳ５０５の処理を行わずに、ステップＳ１０の処理に移行する。
【００５９】
変更設定選択部１１３は、メモリ１０５に格納されている情報によって既に最高速の伝送速度であることが示されている場合に、ステップＳ１０の処理で、メモリ１０５に記憶されている優先順位情報にもとづいて、５番目に優先順位が低い無線ＬＡＮ通信に使用する伝送速度よりも１つ優先順位が低い（４番目に優先順位が低い）、図７に示す無線ＬＡＮ通信に使用する通信方式を変更するための処理の実行を通信方式変更部１０７に指示する。通信方式変更部１０７は、変更設定選択部１１３の指示に応じて、ステップＳ２０の処理として図７のフローチャートに示す処理を実行する。
【００６０】
通信レート変更部１０４は、ステップＳ５０４の処理で所定の期間内にパケットエラーが生じたことを確認した場合に（ステップＳ５０４のＹ）、既定の通信方式、帯域幅、およびガードインターバルに応じて規定されている伝送速度の範囲内で、伝送速度を低速化し（ステップＳ５０６）、ステップＳ１０の処理に移行する。具体的には、通信レート変更部１０４は、ステップＳ５０５の処理で、メモリ１０５に予め記憶されている図９に例示した通信方式、帯域幅、およびガードインターバルに応じて規定されている伝送速度を示す情報にもとづいて、ステップＳ５０１の処理で格納された情報によって示される伝送速度よりも低い伝送速度に設定する。なお、通信レート変更部１０４は、伝送速度を高速化する場合に、ガードインターバルを４００ｎｓから８００ｎｓに変更してもよい。そして、無線部２は、変更後の伝送速度で通信を開始する。
【００６１】
通信レート変更部１０４は、ステップＳ５０４の処理で、ステップＳ５０１の処理でメモリ１０５に格納された情報によって示される伝送速度がメモリ１０５に予め記憶されている通信方式、帯域幅、およびガードインターバルに応じて規定されている伝送速度のうち、最低速である場合に、ステップＳ５０６の処理を行わずに、ステップＳ１０の処理に移行する。
【００６２】
変更設定選択部１１３は、メモリ１０５に格納されている情報によって既に最低速の伝送速度であることが示されている場合に、ステップＳ１０の処理で、メモリ１０５に記憶されている優先順位情報にもとづいて、５番目に優先順位が低い無線ＬＡＮ通信に使用する伝送速度に次いで優先順位が低い（６番目に優先順位が低い）、無線ＬＡＮ通信のストリーム数を変更するための処理の実行をストリーム数変更部１０９に指示する。ストリーム数変更部１０９は、変更設定選択部１１３によってなされた指示に応じて、ステップＳ２０の処理として無線ＬＡＮ通信のストリーム数を変更する処理を実行する。図１０は、無線ＬＡＮ通信のストリーム数を変更する処理を示すフローチャートである。
【００６３】
ストリーム数変更部１０９は、無線ＬＡＮ通信に使用しているストリーム数を示す情報をメモリ１０５に格納する（ステップＳ６０１）。変更設定選択部１１３は、温度測定部１１２に温度の測定を指示する（ステップＳ６０２）。ストリーム数変更部１０９は、温度測定部１１２が測定した温度の値が所定の閾値以下である場合に（ステップＳ６０３のＮ）、ステップＳ６０１の処理でメモリ１０５に格納した情報によって示されるストリーム数を確認する。そして、ストリーム数変更部１０９は、ステップＳ６０１の処理でメモリ１０５に格納した情報によって示されるストリーム数を増加させ（ステップＳ６０４）、ステップＳ１０の処理に移行する。そして、無線部２は、変更後のストリーム数で通信を開始する。
【００６４】
具体的には、ストリーム数変更部１０９は、ステップＳ６０４の処理で、ステップＳ６０１の処理でメモリ１０５に格納された情報によってストリーム数が１であることが示されている場合にストリーム数を２に変更する。
【００６５】
ストリーム数変更部１０９は、ステップＳ６０４の処理で、ステップＳ６０１の処理でメモリ１０５に格納された情報によってストリーム数が２であることが示されている場合、つまり、既に最多のストリーム数に設定されている場合に、ステップＳ６０４の処理を行わずに、ステップＳ１０の処理に移行する。
【００６６】
変更設定選択部１１３は、メモリ１０５に格納されている情報によって既に最多のストリーム数であることが示されている場合に、ステップＳ１０の処理で、メモリ１０５に記憶されている優先順位情報にもとづいて、６番目に優先順位が低い無線ＬＡＮ通信のストリーム数よりも１つ優先順位が低い（５番目に優先順位が低い）、図８に示す無線ＬＡＮの伝送速度を変更するための処理の実行を通信レート変更部１０４に指示する。通信レート変更部１０４は、変更設定選択部１１３の指示に応じて、ステップＳ２０の処理として図８のフローチャートに示す処理を実行する。
【００６７】
ストリーム数変更部１０９は、温度測定部１１２が測定した温度の値が所定の閾値を超えている場合に（ステップＳ６０３のＹ）、ステップＳ６０１の処理でメモリ１０５に格納した情報によって示されるストリーム数を確認する。そして、ストリーム数変更部１０９は、ステップＳ６０１の処理でメモリ１０５に格納した情報によって示されるストリーム数を減少させ（ステップＳ６０５）、ステップＳ１０の処理に移行する。そして、無線部２は、変更後のストリーム数で通信を開始する。
【００６８】
具体的には、ストリーム数変更部１０９は、ステップＳ６０５の処理で、ステップＳ６０１の処理でメモリ１０５に格納された情報によってストリーム数が２であることが示されている場合にストリーム数を１に変更する。
【００６９】
ストリーム数変更部１０９は、ステップＳ６０５の処理で、ステップＳ６０１の処理でメモリ１０５に格納された情報によってストリーム数が１であることが示されている場合、つまり、既に最少のストリーム数に設定されている場合に、ステップＳ６０５の処理を行わずに、ステップＳ１０の処理に移行する。
【００７０】
変更設定選択部１１３は、メモリ１０５に格納されている情報によって既に最少のストリーム数であることが示されている場合に、ステップＳ１０の処理で、メモリ１０５に記憶されている優先順位情報にもとづいて、６番目に優先順位が低い無線ＬＡＮ通信に使用するストリーム数に次いで優先順位が低い（７番目に優先順位が低い）、ＵＳＢ通信の伝送速度を変更するための処理の実行をＵＳＢ制御部１１１に指示する。ＵＳＢ制御部１１１は、変更設定選択部１１３によってなされた指示に応じて、ステップＳ２０の処理としてＵＳＢ通信の伝送速度を変更する処理を実行する。図１１は、ＵＳＢ通信の伝送速度を変更する処理を示すフローチャートである。
【００７１】
ＵＳＢ制御部１１１は、ＵＳＢ通信に使用している伝送速度を示す情報をメモリ１０５に格納する（ステップＳ７０１）。変更設定選択部１１３は、温度測定部１１２に温度の測定を指示する（ステップＳ７０２）。ＵＳＢ制御部１１１は、温度測定部１１２が測定した温度の値が所定の閾値以下である場合に（ステップＳ７０３のＮ）、伝送速度をより高い伝送速度に変更し（ステップＳ７０４）、ステップＳ１０の処理に移行する。
【００７２】
具体的には、ＵＳＢ制御部１１１は、ステップＳ７０４の処理で、ステップＳ７０１の処理でメモリ１０５に格納された情報によってロースピード（１．５Ｍｂｐｓ）の伝送速度であることが示されている場合にフルスピード（１２Ｍｂｐｓ）の伝送速度に変更し、フルスピード（１２Ｍｂｐｓ）の伝送速度であることが示されている場合にハイスピード（４８０Ｍｂｐｓ）の伝送速度に変更し、ハイスピード（４８０Ｍｂｐｓ）の伝送速度であることが示されている場合にスーパースピード（５Ｇｂｐｓ）の伝送速度に変更する。
【００７３】
ＵＳＢ制御部１１１は、ステップＳ７０４の処理で、ステップＳ７０１の処理でメモリ１０５に格納された情報によって伝送速度がスーパースピード（５Ｇｂｐｓ）であることが示されている場合、つまり、既に最高速の伝送速度に設定されている場合に、ステップＳ７０４の処理を行わずに、ステップＳ１０の処理に移行する。
【００７４】
変更設定選択部１１３は、メモリ１０５に格納されている情報によって既に最高速の伝送速度であることが示されている場合に、ステップＳ１０の処理で、メモリ１０５に記憶されている優先順位情報にもとづいて、７番目に優先順位が低いＵＳＢ通信の伝送速度よりも１つ優先順位が低い（６番目に優先順位が低い）、図１０に示す無線ＬＡＮのストリーム数を変更するための処理の実行をストリーム数変更部１０９に指示する。ストリーム数変更部１０９は、変更設定選択部１１３の指示に応じて、ステップＳ２０の処理として図１０のフローチャートに示す処理を実行する。
【００７５】
ＵＳＢ制御部１１１は、温度測定部１１２が測定した温度の値が所定の閾値を超えている場合に（ステップＳ７０３のＹ）、伝送速度をより低い伝送速度に変更し（ステップＳ７０５）、ステップＳ１０の処理に移行する。
【００７６】
具体的には、ＵＳＢ制御部１１１は、ステップＳ７０５の処理で、ステップＳ７０１の処理でメモリ１０５に格納された情報によってスーパースピード（５Ｇｂｐｓ）の伝送速度であることが示されている場合にハイスピード（４８０Ｍｂｐｓ）の伝送速度に変更し、ハイスピード（４８０Ｍｂｐｓ）の伝送速度であることが示されている場合にフルスピード（１２Ｍｂｐｓ）の伝送速度に変更し、フルスピード（１２Ｍｂｐｓ）の伝送速度であることが示されている場合にロースピード（１．５Ｍｂｐｓ）の伝送速度に変更する。
【００７７】
ＵＳＢ制御部１１１は、ステップＳ７０５の処理で、ステップＳ７０１の処理でメモリ１０５に格納された情報によって既に最低速の伝送速度であることが示されている場合に、ステップＳ７０５の処理を行わずに、ステップＳ１０の処理に移行する。
【００７８】
本実施形態によれば、ユーザによって設定された優先順位に応じた順序で、温度測定部１１２が測定した温度に応じて通信設定を変更するように構成されているので、筐体内の温度が所定の閾値を超えた場合に、ユーザによって設定された優先順位にもとづいて筐体内の部品によって発せられる熱が少なくなる内容に通信設定が変更され、筐体内の温度上昇を防ぐことができる。
【００７９】
従って、ユーザによって設定された優先順位が高い通信設定を維持しつつ、優先順位が低い通信設定を変更して筐体内の温度上昇を防ぎ、筐体内の部品としてのＩＣのジャンクション温度が所定の温度を超えることを防止可能になる。よって、筐体内の熱を放熱するためのファン、放熱シート、およびヒートシンク等の放熱部材を筐体に設ける必要がなくなり、筐体を小型化および低コスト化が可能になる。
【００８０】
また、筐体内の温度が所定の閾値以下になった場合に、優先順位が高い通信設定がより高速で通信が行われる内容に変更されるので、アクセスポイント３において想定される性能を発揮させることができる。
【００８１】
なお、変更設定選択部１１３は、無線部１０２に、予め設定されている閾値および温度測定部１１２の測定結果を示し、閾値の入力を促す画面を表示するための情報を無線ＬＡＮ通信で無線子機４に送信する指示を入力し、無線部１０２は、当該画面を表示するための情報を無線ＬＡＮ通信で無線子機４に送信するように構成されていてもよい。そして、無線部１０２は、ユーザの操作に応じて無線子機４を介してクライアントコンピュータ５によって送信された閾値を示す情報を受信して、変更設定選択部１１３に入力し、変更設定選択部１１３が、当該情報にもとづいて閾値を変更してもよい。そのような構成によれば、ユーザの指示に応じて閾値を変更し、筐体の温度をより低温に維持したり、アクセスポイント３の性能を低下させることなく発揮させたりすることができる。
【００８２】
温度測定部１１２が筐体内の温度を測定し、変更設定選択部１１３が、メモリ１０５に記憶されている優先順位情報にもとづき、温度測定結果に応じて変更する通信設定を選択するように構成されていてもよい。具体的には、温度測定部１１２が測定した温度の値が閾値を超えている場合に、変更設定選択部１１３が、最も低い通信性能に設定されていない通信設定のうち、優先順位情報によって示される優先順位が最も低い通信設定を変更する通信設定に選択する。また、温度測定部１１２が測定した温度の値が閾値以下である場合に、変更設定選択部１１３が、最も高い通信性能に設定されていない通信設定のうち、優先順位情報によって示される優先順位が最も高い通信設定を変更する通信設定に選択する。
【００８３】
次に、本発明の概要について説明する。図１２は、本発明の概要を示すブロック図である。図１２に示すように、本発明による通信装置２００は、温度測定手段２０１（図１に示す温度測定部１１２に相当）、優先順位記憶手段２０２（図１に示すメモリ１０５に相当）、および通信設定変更手段２０３（図１に示す帯域幅変更部１０３、通信レート変更部１０４、帯域変更部１０６、通信方式変更部１０７、ストリーム数変更部１０９、イーサネット制御部１１０のうち通信設定を変更する部分、またはＵＳＢ制御部１１１のうち通信設定を変更する部分に相当）を含む。
【００８４】
温度測定手段２０１は、複数のデータ送受信手段２０４（図２に示す無線部１０２、イーサネット制御部１１０のうちデータを送受信する部分、およびＵＳＢ制御部１１１のうちデータを送受信する部分に相当）が設置された筐体内の温度を測定する。優先順位記憶手段２０２は、ユーザによって順位付けされた各データ送受信手段２０４の通信設定の順位を示す優先順位情報を記憶する。通信設定変更手段２０３は、温度測定手段２０１の測定結果の値が所定の閾値を超えている場合に、制御可能なデータ送受信手段２０４の通信設定のうち、優先順位記憶手段２０２に記憶されている優先順位情報によって示される順位が最も低い通信設定を通信性能が一段階低下する内容に変更する。
【００８５】
そのような構成によれば、ユーザによる設定にもとづいて、複数のデータ送受信手段２０４を備えた通信装置２００の筐体の温度上昇を防ぐことができる。
【００８６】
また、上記の実施形態では、以下の（１）〜（４）に示すような通信装置２００も開示されている。
【００８７】
（１）通信設定変更手段２０３が温度測定手段２０１の測定結果の値が所定の閾値を超えている場合に変更する制御可能なデータ送受信手段２０４の通信設定は、最も低い通信性能に設定されていない通信設定である通信装置２００。
【００８８】
（２）通信設定変更手段２０３が、温度測定手段２０１の測定結果の値が所定の閾値以下である場合に、制御可能なデータ送受信手段２０４の通信設定のうち、優先順位記憶手段２０２に記憶されている優先順位情報によって示される順位が最も高い通信設定を通信性能が一段階向上する内容に変更する通信装置２００。
【００８９】
（３）通信設定変更手段２０３が温度測定手段２０１の測定結果の値が所定の閾値以下である場合に変更する制御可能なデータ送受信手段２０４の通信設定は、最も高い通信性能に設定されていない通信設定である通信装置２００。
【００９０】
（４）ユーザによって設定された閾値を記憶する閾値記憶手段（図１に示すメモリ１０５に相当）を含み、通信設定変更手段２０３が、温度測定手段２０１の測定結果の値と閾値記憶手段に記憶されている閾値との比較結果に応じて、データ送受信手段２０４の通信設定を変更する通信装置２００。
【産業上の利用可能性】
【００９１】
本発明を、複数のデータ送受信手段を備える通信装置に適用可能である。
【符号の説明】
【００９２】
１  通信ネットワーク
２  ルータ
３  アクセスポイント
４  無線子機
５、９  クライアントコンピュータ
６  ＵＳＢポート
７  ＵＳＢデバイス
８  イーサネットポート
１０２  無線部
１０３  帯域幅変更部
１０４  通信レート変更部
１０５  メモリ
１０６  帯域変更部
１０７  通信方式変更部
１０８  アンテナ
１０９  ストリーム数変更部
１１０  イーサネット制御部
１１１  ＵＳＢ制御部
１１２  温度測定部
１１３  変更設定選択部
２００  通信装置
２０１  温度測定手段
２０２  優先順位記憶手段
２０３  通信設定変更手段
２０４  データ送受信手段
【図１】
0005170167.tif 000002
【図２】
0005170167.tif 000003
【図３】
0005170167.tif 000004
【図４】
0005170167.tif 000005
【図５】
0005170167.tif 000006
【図６】
0005170167.tif 000007
【図７】
0005170167.tif 000008
【図８】
0005170167.tif 000009
【図９】
0005170167.tif 000010
【図１０】
0005170167.tif 000011
【図１１】
0005170167.tif 000012
【図１２】
0005170167.tif 000013